(57)【要約】【課題】簡単な構成で効果的に装置を小型化することができる原稿読取装置及びこれを備えた画像形成装置を提供する。【解決手段】板状部材を折り曲げることにより形成された第１保持部３４によって、反射光ミラー３２の両端部を保持する。第１保持部３４は、反射光ミラー３２の中央部に対して原稿側とは反対側（下方）に板状部材が存在しないように形成される。これにより、反射光ミラー３２をより原稿側とは反対側に配置することができるので、簡単な構成で原稿読取装置の高さを低くすることができ、効果的に原稿読取装置又は画像形成装置を小型化することができる。【選択図】  図４
2010020089.tif 000002
【特許請求の範囲】
【請求項１】
光源から原稿に向けて光を照射するとともに、当該原稿からの反射光を反射光ミラーに反射させて受光部へと導き、当該受光部で上記反射光を受光することによって、原稿の画像を読み取る原稿読取装置であって、
板状部材を折り曲げることにより形成され、上記反射光ミラーの両端部を保持し、上記反射光ミラーの中央部に対して上記原稿側とは反対側に上記板状部材が存在しないように形成されるとともに、上記原稿に対して平行方向に移動可能な保持部を備えたことを特徴とする原稿読取装置。
【請求項２】
上記板状部材が、上記反射光ミラーに対して、当該反射光ミラーによる光の反射方向とは反対側から上記原稿側に向かって折り曲げられた第１折曲部と、当該第１折曲部から上記反射方向に向かって、上記原稿に対して平行方向に延びるように折り曲げられた第２折曲部とを有し、
上記第２折曲部により上記光源が保持されることを特徴とする請求項１に記載の原稿読取装置。
【請求項３】
上記第２折曲部が、上記反射光ミラーよりも上記反射方向に延びており、上記光源からの照射光の一部を上記原稿に向かって反射させるための照射光ミラーを保持することを特徴とする請求項２に記載の原稿読取装置。
【請求項４】
請求項１〜３のいずれかに記載の原稿読取装置と、
上記原稿読取装置で読み取った原稿の画像データに基づいて記録紙に画像を形成する画像形成部とを備えたことを特徴とする画像形成装置。
【発明の詳細な説明】
【技術分野】
【０００１】
本発明は、光源から原稿に向けて光を照射するとともに、当該原稿からの反射光を反射光ミラーに反射させて受光部へと導き、当該受光部で上記反射光を受光することによって、原稿の画像を読み取る原稿読取装置及びこれを備えた画像形成装置に関するものである。
【背景技術】
【０００２】
原稿読取装置には、原稿に向けて光を照射する光源と、原稿からの反射光を受光する受光部と、原稿からの反射光を反射させて受光部へと導く反射光ミラーとが備えられている。原稿は、ガラス板上に置かれた状態で読み取ることができるようになっており、ガラス板を挟んで原稿とは反対側に、上記光源、受光部及び反射光ミラーが配置されている。
【０００３】
通常、原稿読取装置には、キャリッジと呼ばれるそれぞれ移動可能な２つの保持部（第１保持部及び第２保持部）が備えられており、これらの保持部により光源及び複数の反射光ミラーが保持される。具体的には、第１保持部に光源及び反射光ミラーが保持されるとともに、第２保持部には反射光ミラーのみが保持される。受光部は、例えば原稿読取装置内に一列に並べられた複数のＣＣＤからなる。
【０００４】
光源は長尺状に形成され、その長手方向がＣＣＤの配列方向（主走査方向）に対して平行に延びるように、第１保持部に保持されている。各反射光ミラーは、光源と同程度の長さを有する長尺状に形成され、その長手方向が主走査方向に対して平行に延びるように、第１保持部及び第２保持部にそれぞれ保持されている。光源及び反射光ミラーは、各長手方向がガラス板に対して平行に延びており、当該ガラス板上に置かれた原稿に対して、ガラス板を挟んで対向するように配置される。
【０００５】
図６は、第１保持部１３４の従来例を示した部分斜視図であり、第１保持部１３４の一端部の構成のみを示している。また、図７は、図６における第１保持部１３４のＣ２−Ｃ２断面図である。この例では、第１保持部１３４は、板状部材を折り曲げることにより形成されており、当該第１保持部１３４により光源１３０及び反射光ミラー１３２が保持されている。なお、図６では、光源１３０を省略して示している。
【０００６】
光源１３０は、主走査方向に沿って水平方向に延びるように設けられ、この例では、光源１３０の上方に設けられたガラス板（図示せず）上に置かれた原稿に対して、下方から光を照射するようになっている。反射光ミラー１３２は、光源１３０に対して平行に延びるように設けられ、原稿から下方に向かう反射光を副走査方向に沿って水平方向に反射させる。第１保持部１３４は、光源１３０及び反射光ミラー１３２の下方を水平方向に延びるように設けられる。
【０００７】
第１保持部１３４における主走査方向の両端部には、それぞれ上方に向かって延びるように折り曲げられた反射光ミラー取付部１５４が形成されている。各反射光ミラー取付部１５４には、反射光ミラー１３２を嵌め込むための取付凹部１５５が形成されており、各取付凹部１５５内に反射光ミラー１３２の各端部を嵌め込むことにより、反射光ミラー１３２を保持することができるようになっている。
【０００８】
光源１３０は、その両端部が取付部材１５９を介して第１保持部１３４に固定されている。第１保持部１３４における主走査方向の両端部には、上記取付部材１５９を取り付けるための取付領域１５６が形成されており、当該取付領域１５６に取付部材１５９がねじなどの固定具を介して取り付けられる。取付部材１５９は、上下方向に所定の高さを有しており、当該取付部材１５９に取り付けられた光源１３０は、反射光ミラー１３２よりも高い位置、すなわち反射光ミラー１３２よりも原稿に近い位置に配置される。
【０００９】
第１保持部１３４における主走査方向の両端部には、各反射光ミラー取付部１５４に対して光源１３０とは反対側に、上方に向かって延びる折曲部が形成され、各折曲部の上端部同士が、主走査方向に沿って水平方向に延びる照射光ミラー取付部１５８により連結されている。当該照射光ミラー取付部１５８は、光源１３０とほぼ同じ高さに位置しており、当該照射光ミラー取付部１５８に取り付けられた照射光ミラー１３３により、光源１３０からの照射光の一部を原稿に向かって反射させることができるようになっている。
【００１０】
従来から、原稿読取装置及びこれを備えた画像形成装置の小型化が望まれており、そのための構成の一例として、原稿読取装置の高さをより低くすることができるような構成が提案されている（例えば、特許文献１）。
【００１１】
【特許文献１】特開２００２−１４８７３０号公報
【発明の開示】
【発明が解決しようとする課題】
【００１２】
しかしながら、上記特許文献１に開示されているような構成では、装置を小型化するために、光源及び反射光ミラーの配置を大幅に変更しなければならず、構成が複雑になるといった問題がある。
【００１３】
本発明は上記実情に鑑みてなされたものであり、簡単な構成で効果的に装置を小型化することができる原稿読取装置及びこれを備えた画像形成装置を提供することを目的とする。
【課題を解決するための手段】
【００１４】
第１の本発明に係る原稿読取装置は、光源から原稿に向けて光を照射するとともに、当該原稿からの反射光を反射光ミラーに反射させて受光部へと導き、当該受光部で上記反射光を受光することによって、原稿の画像を読み取る原稿読取装置であって、板状部材を折り曲げることにより形成され、上記反射光ミラーの両端部を保持し、上記反射光ミラーの中央部に対して上記原稿側とは反対側に上記板状部材が存在しないように形成されるとともに、上記原稿に対して平行方向に移動可能な保持部を備えたことを特徴とする。
【００１５】
このような構成によれば、保持部を形成している板状部材が、反射光ミラーの中央部に対して原稿側とは反対側には存在しないため、反射光ミラーをより原稿側とは反対側に配置することができる。
【００１６】
反射光ミラーの中央部に対して原稿側とは反対側に保持部が存在している場合には、当該保持部に対して所定の間隔を隔てて反射光ミラーを配置する必要がある。しかし、上記のように、反射光ミラーの中央部に対して原稿側とは反対側に保持部が存在しないような構成であれば、少なくとも上記間隔分は反射光ミラーの位置を低くすることができる。また、反射光ミラーの高さ方向の位置が保持部と重複するまで、反射光ミラーの位置をさらに低くすれば、反射光ミラーの位置を板厚分だけさらに低くすることができる。このように、簡単な構成で原稿読取装置の高さを低くすることができ、効果的に原稿読取装置を小型化することができる。
【００１７】
また、保持部を形成している板状部材のうち、反射光ミラーの中央部に対して原稿側とは反対側の部分が存在しないため、保持部をより軽量化することができ、これにより、原稿読取装置をより軽量化することができる。
【００１８】
第２の本発明に係る原稿読取装置は、上記板状部材が、上記反射光ミラーに対して、当該反射光ミラーによる光の反射方向とは反対側から上記原稿側に向かって折り曲げられた第１折曲部と、当該第１折曲部から上記反射方向に向かって、上記原稿に対して平行方向に延びるように折り曲げられた第２折曲部とを有し、上記第２折曲部により上記光源が保持されることを特徴とする。
【００１９】
このような構成によれば、保持部を形成している板状部材の一部で光源を保持することができるため、光源を保持部に取り付けるための取付部材を別途設ける必要がない。これにより、部品点数を減らすことができるので、原稿読取装置の製造コストを低減することができる。
【００２０】
また、光源を保持部に取り付けるための取付部材を別途設けた場合には、当該取付部材を保持部及び光源にそれぞれ固定する必要があるため、取付部材の高さが必然的に高くなってしまう。しかし、上記のように、保持部を形成している板状部材の一部で光源を保持するような構成であれば、保持部に対する光源の取付構造が簡略化され、反射光ミラーの位置をより低くすることができる。そのため、簡単な構成で効果的に原稿読取装置を小型化することができる。
【００２１】
第３の本発明に係る原稿読取装置は、上記第２折曲部が、上記反射光ミラーよりも上記反射方向に延びており、上記光源からの照射光の一部を上記原稿に向かって反射させるための照射光ミラーを保持することを特徴とする。
【００２２】
このような構成によれば、光源を保持する第２折曲部の一部で照射光ミラーを保持することができる。これにより、光源及び照射光ミラーを保持する部分を別々に形成するような構成と比較して、より簡単な構成にすることができる。また、光源及び照射光ミラーを同一の第２折曲部で保持することにより、光源と照射光ミラーの相対的な位置関係がずれるのを効果的に防止することができるため、原稿に対してより良好に光を照射することができる。
【００２３】
第４の本発明に係る画像形成装置は、請求項１〜３のいずれかに記載の原稿読取装置と、上記原稿読取装置で読み取った原稿の画像データに基づいて記録紙に画像を形成する画像形成部とを備えたことを特徴とする。
【００２４】
このような構成によれば、第１〜３のいずれかの本発明に係る原稿読取装置と同様の効果を奏する画像形成装置を提供することができる。すなわち、簡単な構成で原稿読取装置の高さを低くすることができ、効果的に画像形成装置を小型化することができるとともに、画像形成装置をより軽量化することができる。
【発明の効果】
【００２５】
本発明によれば、反射光ミラーをより原稿側とは反対側に配置することができるので、簡単な構成で原稿読取装置の高さを低くすることができ、効果的に原稿読取装置又は画像形成装置を小型化することができる。
【発明を実施するための最良の形態】
【００２６】
図１は、本発明の一実施形態に係る画像形成装置１の内部構成を示した概略断面図である。この画像形成装置１は、自動原稿送り装置（ＡＤＦ）２、原稿読取部３、画像形成部４及び給紙部５を備えた複写機である。
【００２７】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取位置Ａにおいて、原稿読取部３により画像が読み取られる。画像が読み取られた後の原稿は、排出ローラ２ｈにより原稿排出トレイ２ｉ上に順次排出される。
【００２８】
原稿読取部３には、複数のＣＣＤ(Charge Coupled Devices)が、原稿の搬送方向に対して直交する水平方向（主走査方向）に並べて配置されている。原稿読取部３は、静止した状態で読取位置Ａに光を照射し、原稿からの反射光をＣＣＤで受光することによって、ＡＤＦ２により搬送される原稿を読み取ることができる。また、原稿読取部３は、主走査方向に直交する水平方向（副走査方向）に光源を移動させながらガラス板３ｄ上に置かれた原稿に光を照射し、原稿からの反射光をＣＣＤで受光することによって、原稿を読み取ることもできる。
【００２９】
ＡＤＦ２により１枚ずつ搬送される原稿を読取位置Ａで読み取る場合には、各ＣＣＤで原稿からの反射光を受光することにより主走査が行われるとともに、読取位置Ａを原稿が搬送されることにより副走査が行われる。一方、ガラス板３ｄに置かれた原稿を読み取る場合には、各ＣＣＤで原稿からの反射光を受光することにより主走査が行われるとともに、光源が副走査方向に移動することにより副走査が行われる。
【００３０】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、原稿読取部３で読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００３１】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００３２】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。この状態で給紙ローラ２１が回転駆動されることにより、記録紙カセット６内に収容されている記録紙Ｐが、搬送路１２に１枚ずつ送り出される。
【００３３】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そしてレジストローラ１４により、記録紙Ｐは感光体ドラム４ａの直前で一旦停止され、感光体ドラム４ａに形成されるトナー像を転写させるタイミングに合わせて送り出される。
【００３４】
上記のような画像形成部４及び給紙部５は、筐体１ａ内に配置されており、当該筐体１ａの上面に上記ガラス板３ｄが形成されている。ＡＤＦ２は、筐体１ａの上面に対して上下に開閉可能に取り付けられている。したがって、ガラス板３ｄ上に置かれた原稿を原稿読取部３で読み取る場合には、ＡＤＦ２を閉じることにより、当該ＡＤＦ２とガラス板３ｄとの間に原稿を挟むことができるようになっている。
【００３５】
図２は、原稿読取部３の構成を示した概略平面図であり、ガラス板３ｄ上に置かれた原稿を原稿読取部３で読み取る際の状態を示している。図３は、原稿読取部３の構成を示した概略側面図であり、ＡＤＦ２により搬送される原稿を読取位置Ａで読み取る際の状態を示している。原稿読取部３には、原稿に向けて光を照射する光源３０と、原稿からの反射光を受光する受光部としての上記ＣＣＤ３１と、原稿からの反射光を反射させてＣＣＤ３１へと導く反射光ミラー３２とが備えられている。
【００３６】
この例では、筐体１ａ内に２つの保持部（第１保持部３４及び第２保持部３５）が副走査方向に移動可能に取り付けられており、これらの保持部３４，３５に光源３０及び反射光ミラー３２が保持されている。より具体的には、第１保持部３４には光源３０及び反射光ミラー３２が１つずつ保持されており、第２保持部３５には２つの反射光ミラー３２が上下に並べて保持されている。
【００３７】
光源３０及び各反射光ミラー３２は、主走査方向に延びるように各保持部３４，３５により保持されており、各保持部３４，３５も主走査方向に長尺形状を有している。筐体１ａ内には、第１保持部３４を挟んで第２保持部３５とは反対側に、主走査方向に並べて複数のＣＣＤ３１が配列されている。
【００３８】
このような構成により、第１保持部３４に保持されている光源３０から原稿に向けて光が照射されたときには、原稿からの反射光が当該第１保持部３４に保持されている反射光ミラー３２に反射して、第２保持部３５側へ水平に導かれる。そして、原稿からの反射光は、第２保持部３５に保持されている一方の反射光ミラー３２に反射して下方に向かい、さらに第２保持部３５に保持されている他方の反射光ミラー３２に反射して、ＣＣＤ３１へ水平に導かれる。このようにしてＣＣＤ３１へと導かれた原稿からの反射光を当該ＣＣＤ３１で受光することによって、原稿の画像を読み取ることができる。
【００３９】
なお、この例では、光源３０からの照射光の一部を原稿に向かって反射させるための照射光ミラー３３が、第１保持部３４により保持されている。これにより、光源３０から照射された光のうち、読取位置Ａとは異なる方向へ向かう照射光の一部が、照射光ミラー３３により読取位置Ａへと反射されるため、原稿に対してより良好に光を照射することができる。
【００４０】
第１保持部３４の主走査方向の一端部には、原稿の画像を読み取る際に、当該第１保持部３４を移動させるために駆動される第１ベルト３６が取り付けられている。当該第１保持部３４の主走査方向の他端部（第１ベルト３６が取り付けられている側とは反対側の端部）には、ガイド部（図示せず）が形成されており、当該ガイド部が筐体１ａに形成された対応するガイド部（図示せず）に対して、副走査方向にスライド可能に取り付けられている。また、第２保持部３５の主走査方向の一端部には、原稿の画像を読み取る際に、当該第２保持部３５を移動させるために駆動される第２ベルト３７が取り付けられている。当該第２保持部３５の主走査方向の他端部（第２ベルト３７が取り付けられている側とは反対側の端部）には、ガイド部（図示せず）が形成されており、当該ガイド部が筐体１ａに形成された対応するガイド部（図示せず）に対して、副走査方向にスライド可能に取り付けられている。第１ベルト３６及び第２ベルト３７は、それぞれ保持部３４，３５に対して直交方向、すなわち保持部３４，３５の移動方向である副走査方向に沿って延びている。
【００４１】
第１ベルト３６は、第１プーリ３８に掛け回され、第２ベルト３７は、第２プーリ３９に掛け回されている。これらのプーリ３８，３９には、１つ又は複数のギア（図示せず）を介してモータ４０が連結されている。これにより、モータ４０が駆動されたときには、プーリ３８，３９が回転し、当該プーリ３８，３９に掛け回されているベルト３６，３７が駆動されることにより、当該ベルト３６，３７に取り付けられている保持部３４，３５が副走査方向に移動するようになっている。
【００４２】
モータ４０及び第１プーリ３８を連結するギアと、モータ４０及び第２プーリ３９を連結するギアとのギア比は、２：１である。したがって、モータ４０の駆動に伴って移動する第１保持部３４と第２保持部３５との速度比は、２：１となり、これにより、原稿からの反射光がＣＣＤ３１に到達するまでの光路長が、保持部３４，３５の位置に関わらず一定に保たれるようになっている。
【００４３】
図４は、第１保持部３４の構成を示した部分斜視図であり、第１保持部３４の一端部の構成のみを示している。また、図５は、図４における第１保持部３４のＣ１−Ｃ１断面図である。この例では、第１保持部３４は、金属板からなる板状部材を折り曲げることにより形成されており、当該第１保持部３４により、上述の光源３０、反射光ミラー３２及び照射光ミラー３３が保持されている。なお、図４では、光源３０を省略して示している。
【００４４】
第１保持部３４には、反射光ミラー３２の両端部を保持する１対の下板５１と、各下板５１を連結し、当該下板５１から上方に向かって延びる垂直板５２と、垂直板５２から各下板５１の上方に対向して水平方向に延びる１対の上板５３とが一体的に形成されている。各下板５１には、上方に向かって延びるように折り曲げられた反射光ミラー取付部５４が形成されており、各反射光ミラー取付部５４に形成されている取付凹部５５内に反射光ミラー３２の両端部が嵌め込まれることにより、反射光ミラー３２が第１保持部３４に保持される。反射光ミラー３２は、第１保持部３４に保持された状態で、上方から入射する原稿からの反射光を副走査方向に沿った水平な反射方向Ｄに向かって反射させる。
【００４５】
垂直板５２は、反射光ミラー３２に対して、当該反射光ミラー３２による光の反射方向Ｄとは反対側から原稿側に向かって折り曲げられた第１折曲部を構成している。また、上板５３は、垂直板５２から上記反射方向Ｄに向かって、原稿に対して平行方向に延びるように折り曲げられた第２折曲部を構成している。
【００４６】
各上板５３には、光源３０を取り付けるための取付領域５６が形成されており、当該取付領域５６にねじなどの固定具５７を介して光源３０の両端部が固定される。これにより、光源３０が、反射光ミラー３２に対して平行に延びるように、第１保持部３４により保持される。なお、光源３０は、下板５１に対して上方に所定間隔を隔てて対向する上板５３に取り付けられることにより、反射光ミラー３２よりも高い位置、すなわち反射光ミラー３２よりも原稿に近い位置に配置される。
【００４７】
各上板５３は、反射光ミラー３２よりも反射方向Ｄに延びており、上方に向かって折り曲げられることにより、照射光ミラー３３を取り付けるための照射光ミラー取付部５８が形成されている。当該照射光ミラー取付部５８は、光源３０及び反射光ミラー３２に平行な主走査方向に延びており、各上板５３を反射光ミラー３２よりも高い位置で連結している。当該照射光ミラー取付部５８に取り付けられた照射光ミラー３３は、光源３０に対向し、光源３０からの照射光の一部を原稿に向かって反射させる。
【００４８】
上記のような構成により、１対の下板５１間には空間が形成されており、反射光ミラー３２の中央部（両端部を除く部分）に対して原稿側とは反対側（下方）に、第１保持部３４を形成している板状部材が存在しないような構成となっている。
【００４９】
反射光ミラー３２の中央部に対して原稿側とは反対側に第１保持部が存在している場合には、当該第１保持部に対して所定の間隔を隔てて反射光ミラー３２を配置する必要がある。しかし、上記のように、反射光ミラー３２の中央部に対して原稿側とは反対側に第１保持部３４が存在しないような構成であれば、少なくとも上記間隔分は反射光ミラー３２の位置を低くすることができる。また、反射光ミラー３２の高さ方向の位置が第１保持部３４と重複するまで、すなわち反射光ミラー３２が１対の下板５１間の空間内に入り込むまで、反射光ミラー３２の位置をさらに低くすれば、反射光ミラー３２の位置を板厚分だけさらに低くすることができる。このように、簡単な構成で原稿読取部３の高さを低くすることができ、効果的に画像形成装置１を小型化することができる。
【００５０】
また、第１保持部３４を形成している板状部材のうち、反射光ミラー３２の中央部に対して原稿側とは反対側の部分が存在しないため、第１保持部３４をより軽量化することができ、これにより、画像形成装置１をより軽量化することができる。
【００５１】
さらに、本実施形態では、第１保持部３４を形成している板状部材の一部（上板５３）で光源３０を保持することができるため、光源３０を第１保持部３４に取り付けるための取付部材を別途設ける必要がない。これにより、部品点数を減らすことができるので、画像形成装置１の製造コストを低減することができる。
【００５２】
また、光源３０を第１保持部３４に取り付けるための取付部材を別途設けた場合には、当該取付部材を第１保持部３４及び光源３０にそれぞれ固定する必要があるため、取付部材の高さが必然的に高くなってしまう。しかし、上記のように、第１保持部３４を形成している板状部材の一部で光源３０を保持するような構成であれば、第１保持部３４に対する光源３０の取付構造が簡略化され、反射光ミラー３２の位置をより低くすることができる。そのため、簡単な構成で効果的に画像形成装置１を小型化することができる。
【００５３】
また、本実施形態では、光源３０を保持する上板５３の一部で照射光ミラー３３を保持することができる。これにより、光源３０及び照射光ミラー３３を保持する部分を別々に形成するような構成と比較して、より簡単な構成にすることができる。また、光源３０及び照射光ミラー３３を同一の上板５３で保持することにより、光源３０と照射光ミラー３３の相対的な位置関係がずれるのを効果的に防止することができるため、原稿に対してより良好に光を照射することができる。
【００５４】
以上の実施形態では、光源３０及び照射光ミラー３３が同一の上板５３により保持されるような構成について説明したが、このような構成に限らず、光源３０及び照射光ミラー３３を保持する部分が別々に形成されたような構成であってもよい。
【００５５】
また、以上の実施形態では、第１保持部３４が照射光ミラー３３を保持するような構成について説明したが、このような構成に限らず、第１保持部３４が照射光ミラー３３を保持しないような構成であってもよい。この場合、照射光ミラー３３が別の部材により保持されるような構成であってもよいし、照射光ミラー３３が備えられていないような構成であってもよい。
【００５６】
以上の実施形態では、本発明が複写機などの画像形成装置１に適用された場合について説明したが、このような構成に限らず、本発明は、画像形成部４及び給紙部５などを備えていない原稿読取装置にも適用可能である。
【図面の簡単な説明】
【００５７】
【図１】本発明の一実施形態に係る画像形成装置の内部構成を示した概略断面図である。
【図２】原稿読取部の構成を示した概略平面図であり、ガラス板上に置かれた原稿を原稿読取部で読み取る際の状態を示している。
【図３】原稿読取部の構成を示した概略側面図であり、ＡＤＦにより搬送される原稿を読取位置で読み取る際の状態を示している。
【図４】第１保持部の構成を示した部分斜視図であり、第１保持部の一端部の構成のみを示している。
【図５】図４における第１保持部のＣ１−Ｃ１断面図である。
【図６】第１保持部の従来例を示した部分斜視図であり、第１保持部の一端部の構成のみを示している。
【図７】図６における第１保持部のＣ２−Ｃ２断面図である。
【符号の説明】
【００５８】
１    画像形成装置
３    原稿読取部
３０    光源
３２    反射光ミラー
３３    照射光ミラー
３４    第１保持部
３５    第２保持部
５１    下板
５２    垂直板
５３    上板
５４    反射光ミラー取付部
５５    取付凹部
５８    照射光ミラー取付部
【図１】
2010020089.tif 000003
【図２】
2010020089.tif 000004
【図３】
2010020089.tif 000005
【図４】
2010020089.tif 000006
【図５】
2010020089.tif 000007
【図６】
2010020089.tif 000008
【図７】
2010020089.tif 000009